(57)【要約】      （修正有）【課題】胴巻用帯体と太鼓部用帯体とからなる二部式和装帯において、締紐によって帯を簡便に装着して結び姿を安定させられるようにすること。【解決手段】胴巻用帯体が半幅に折り曲げた状態で長手方向に折り返し、手先部を残して内胴側と外胴側とを重ねて胴部に巻き付ける幅と長さを備え、帯体の折り返し部と外胴側の端部とにおける耳部及び折り曲げ部に締紐を取り付け、内胴側の耳部端縁に締紐挿通用のループを取り付ける。【選択図】図２
2006169658.tif 000002
【特許請求の範囲】
【請求項１】
胴巻用帯体と太鼓部用帯体とからなる二部式和装帯において、胴巻用帯体が半幅に折り曲げた状態で長手方向に折り返し、手先部を残して内胴側と外胴側とを重ねて胴部に巻き付ける幅と長さを備え、帯体の折り返し部と外胴側の端部とにおける耳部及び折り曲げ部に締紐を取り付け、内胴側の耳部端縁に締紐挿通用のループを取り付けた二部式和装帯。
【請求項２】
胴巻用帯体と太鼓部用帯体とからなる二部式和装帯において、太鼓部用帯体が長手方向へ二つ折りして折り目を垂れ先側へ折り返しさらに折り目を内側にして垂先側へ折り返して二重太鼓を形成する長さを備え、裏側の中心部近傍から垂先とは反対側に向って複数のスナップを取り付け、係合させるスナップの間隔をその係合時に締紐の挿通を許容する長さとした二部式和装帯。
【請求項３】
太鼓部用帯体の締紐に帯体に取り付けたスナップと係合するスナップを取り付けた請求項２に記載の二部式和装帯。
【発明の詳細な説明】
【技術分野】
【０００１】
本発明は、胴巻用帯体と太鼓部用帯体とからなる二部式和装帯に関するものである。
【背景技術】
【０００２】
この種の帯としては、特許文献１、２に開示されたものが知られている。
文献１における胴巻用の帯体では、帯体を内胴から外胴へと二重巻した後、帯体の胴巻部の両端（手先部分を除く）における半幅折り曲げ部側に取り付けた締紐で帯体を固定するようにしている。
しかしながら、この帯体では、帯の耳部（胴巻部の上縁）側には締紐の締着力が掛からないため、しっかりとした結び姿が得られず不安定となる。また、帯体を胴部で二重巻する関係上、太胴の人が装着すると太鼓部の横で無地部が露出してしまうおそれがあり、この構成の帯は全通帯（全体を通して図柄が配置されている帯）についてしか利用できない不都合もある。
【０００３】
文献２の胴巻用帯体では、予め半幅に構成した帯体を使用し、その両端部の上下（耳部側と半幅折り曲げ部側）に締紐を取り付けたものを開示している。
この帯体では、胴部が一重巻となって安定した胴巻部を形成することができず、しかも、太胴の人では背面側に締紐だけが現れてしまうおそれがある。
しかも、帯を装着するときも収納するときも、折り畳まれて半幅のままであるため、折り目の傷みが激しく、収納時の嵩も大きくなる不都合もある。
【０００４】
また、文献１の太鼓部用帯体は、帯体の上部に取り付けた支持具を利用して胴巻部に係止させ、締紐を利用して固定した後太鼓結びを形成するようにしている。
そのため、この帯では、結び姿の形成については従来の一部式の帯の場合と同じ操作、すなわち、見えない背中側で手探りの状態で帯の結び姿を形成しなければならないことになる。しかも、太鼓部用帯体に支持具が固定されるから、装着時において背中に違和感が生じるし、帯を収納する際に嵩が高くなって帯を重ねて収納できない不都合もある。
【０００５】
文献２の太鼓部用帯体では、長手方向で二つ折りして折り目を垂れ先側へ折り返しさらに折り目を内側にして垂先側へ折り返して二重太鼓を形成した後、太鼓部と一体化させた手先に固定した支持具を利用して胴巻部に差し込む構成を採用している。
しかしながら、帯体を折り返す都度スナップで帯体の左右の耳部側を固定してしまうため、横から外観される帯の結び姿から自然な風合いが失われてしまうことになる。しかも、支持具の差し込みを使用した固定方法が採用されているため、結び姿の位置取りが不安定となり装着時における背中の違和感を否定することができない。
【特許文献１】実公昭48-20976号公報
【特許文献２】実公昭57-6489 号公報
【発明の開示】
【発明が解決しようとする課題】
【０００６】
本発明は、胴巻用帯体と太鼓部用帯体とからなる二部式和装帯において、締紐によって帯を簡便に装着して結び姿を安定させられるようにすることを課題としたものである。
【課題を解決するための手段】
【０００７】
この技術的課題を解決するための第一の技術的手段は胴巻用帯体に関するものであり、（イ）胴巻用帯体が半幅に折り曲げた状態で長手方向に折り返し、手先部を残して内胴側と外胴側とを重ねて胴部に巻き付ける幅と長さを備え、（ロ）帯体の折り返し部と外胴側の端部とにおける耳部及び折り曲げ部に締紐を取り付け、（ハ）内胴側の耳部端縁に締紐挿通用のループを取り付けたこと、である。
【０００８】
胴巻用帯体は、半幅に折り曲げた状態で長手方向に折り返し、手先部を残して内胴側と外胴側とを重ねて胴部に巻き付ける幅と長さを備えたものであるから、内外胴部を重ねた状態で一挙に胴部に巻き付けることができる。
帯体の折り返し部と外胴側の端部とにおいて、締紐が耳部（胴巻部の上縁側）及び折り曲げ部（胴巻部の下縁側）に取り付けられ、内胴側の耳部端縁には締紐挿通用のループが取り付けられているから、外胴側の端部の耳部に取り付けられた締紐をループに通過させた後反転させ、折り返し部の耳部に取り付けられた締紐と前側で結び合わせると、胴巻の耳側を胴巻部分と一体化させることができる。
外胴側の端部の折り曲げ部に取り付けられた締紐と折り返し部の折り曲げ部に取り付けられた締紐とは、一端背中側を通過させて前側で結び合わせることによって、胴巻の折り曲げ部側をしっかりと固定させることができる。
したがって、紐の締着力を利用して胴巻部の結び姿をきれいに仕上げてこれを安定させることができる。
【０００９】
太胴の人がこの胴巻用の帯体を使用する場合には、帯体を長手方向に折り返す位置を若干無地部側へ移動させるだけで良く、あとは締紐をループに挿通させて同様の締め方によって結び姿を形成することができる。
【００１０】
上記の技術的課題を解決するための第二の技術的手段は太鼓部用帯体に関するものであり、（ニ）太鼓部用帯体が長手方向へ二つ折りして折り目を垂れ先側へ折り返しさらに折り目を内側にして垂先側へ折り返して二重太鼓を形成する長さを備え、（ホ）裏側の中心部近傍から垂先とは反対側に向って複数のスナップを取り付け、（ヘ）係合させるスナップの間隔をその係合時に締紐の挿通を許容する長さとしたこと、である。
【００１１】
太鼓部用帯体は、長手方向へ二つ折りして折り目を垂れ先側へ折り返し、さらに折り目を内側にして垂先側へ折り返して二重太鼓を形成できる長さを備えているから、帯体をこの順序で折り畳むことによって容易に二重太鼓を形成することができる。
裏側の中心部近傍から垂先とは反対側に向って複数のスナップが取り付けられているから、所望の二重太鼓の大きさを決めて係合させるべきスナップを選択することによって、最初の二つ折りの状態を形成することができる。
【００１２】
係合させるスナップの間隔は、係合時に締紐の挿通を許容する長さを確保しているから、スナップを係合させた状態で、その間に締紐を挿通させることが可能となる。ここに締紐を挿通させると、二重太鼓を形成させた状態で帯体を胴巻部の外側にあてがうことによって、結び姿の形成と胴部への固定とを同時に行うことができ、しかも結び姿を安定させることができる。
その状態からは、従来の一部式の帯と同様に枕を帯揚げによって取り付け、帯締めを締めるだけで太鼓部の装着が完了することになる。
【００１３】
スナップは、雌雄の部材を交互に配置して取り付けると任意の箇所で隣り合ったスナップ同志を係合させることが可能となり、太鼓の大きさを自在に設定することができる。
また、太鼓部用帯体の締紐に帯体に取り付けたスナップと係合するスナップを取り付けておくと、締紐自体をこの帯体に固定することができる利点がある。この場合帯体のスナップ同志を係合させる必要はなく、締紐をもって二重の結び姿のまま太鼓用帯体を固定することができる。なお、締紐に固定するスナップは雌雄双方の部材を取り付けておくと帯体に取り付けた任意の位置のスナップに締紐を固定できる利点がある。
【発明の効果】
【００１４】
締紐によって帯の簡便に装着すると共に結び姿を安定させられるから、装着中に結び姿に緩みやずり落ちが生じることはなく、長時間にわたってきれいな結び姿を維持することができる。
胴巻部の帯体では、折り畳み状態を解除すると一枚の帯体となるため、適宜の長さで折り畳み直すことができ、従来と同じ嵩で収納することが可能となる。
太鼓部用の帯体では、帯の結び姿の最も内側に位置する折り目の中心部で、スナップによって折り目が固定されるだけであるから、帯の風合いを生かした自然な結び姿を形成することができる。また、太鼓部の支持具が不要となるから、帯の装着時に背面側に違和感を感じることはない。スナップを外すと一枚の帯体となるから、適宜の長さで折り畳み直すことができ、従来と同じ嵩で収納することが可能となる。
【実施例１】
【００１５】
図１、２は、中心線を折り曲げ部２として半幅にした胴巻用の帯体１の平面図を示したものである。
帯体１の先端部は模様を表した手先部３、基端部側に内胴側となる無地部５を設け、中間部分を外胴側の模様部４としている。
模様部４の手先との境界付近には、帯体の耳部側６と折り曲げ部２側にそれぞれ締紐７、８が取り付けてあり、模様部の他端側には模様部分を若干残した位置に帯体の耳部側６と折り曲げ部２側とにそれぞれ締紐９、１０を取り付けている。
【００１６】
帯体１は模様部４が若干内胴側に位置する箇所で長手方向に折り返し（図２参照）、無地部を内側にして装着者の胴部に巻き付ける。装着者が太胴の場合には、折り返し部を若干無地部５側に移動させることになる。
無地部５の帯端側の耳部には、ループ１１、１１が取り付けてあり、締紐７をこのループ１１、１１に通してからだの前側に臨ませて締紐９と締着させると、帯体の耳部側６を固定させることができる。また、締紐８と締紐１０とは、それぞれ背面側から前側に臨ませて締着させると帯体１の折り曲げ部側２を固定させることができる。したがって、胴巻用の帯体１は手先３を残して装着者の胴部にしっかりと装着させることができる。
【実施例２】
【００１７】
図３は、太鼓部用の帯体１４を折り畳んだ状態の側面を示したものである。
この帯体１４は、長手方向へ二つ折りし、折り目１５を垂先１６側へ折り返し、さらに折り目１６を内側にして垂先１６側へ折り返して二重太鼓を形成するのであるが、帯体１４の裏側の中心部近傍から垂先１６とは反対側に向って、スナップ部材１７、１８、１９を雌雄交互に３個、約５cmの間隔で取り付けている。この実施例では、中心部から二番目のスナップ１８と三番目のスナップ１９とを係合させて折り目１５を形成し、両スナップの間に締紐２０を挿通させるようにしている。
その状態で予め装着している胴巻用帯体１の背面外側にあてがって締紐２０で締着して結び姿を固定したあと、帯枕２１を用いて結び姿を整え、図示しない帯締めを締着して結び姿の形成が完了することになる。
【図面の簡単な説明】
【００１８】
【図１】半幅に折り曲げた胴巻用の帯体の平面図
【図２】二つ折りにした胴巻用の帯体の平面図
【図３】二重太鼓結びをした太鼓部用帯体の側面図
【符号の説明】
【００１９】
１胴巻用帯体、  ２半幅折り曲げ部、  ３手先部、  ４外胴側部、  ５内胴側部、  ６耳部、  7、8、9、10締め紐、  11ループ、  14太鼓部用帯体、  15折り目、  16垂先、  17、18、19スナップ、  20締紐、  21帯枕
【図１】
2006169658.tif 000003
【図２】
2006169658.tif 000004
【図３】
2006169658.tif 000005